(57)【要約】【課題】  ストロボ光の色温度はストロボ発光時の発光量、主コンデンサの充電電圧、発光モード（閃光発光モード／ハイスピードシンクロ発光モード）、使用回数（経時変化）、拡散板の有無、等によって変化する。これらのストロボ発光時の状態による色温度変化の影響を軽減する。【解決手段】  閃光装置に、主発光手段である放電管とは別に、補助発光手段としてＲＧＢ３色のＬＥＤで発光する発光部を設ける。前記要因による閃光の色温度変化をＲＧＢ３色それぞれのＬＥＤの発光量を変化させて放電管と同時に発光することで補正する。【選択図】  図４
2006322986.tif 000002
【特許請求の範囲】
【請求項１】
閃光を発光する第１の閃光発光手段と、互いに異なる色温度の光を発光する１又は２以上の第２補発光手段と、前記第１の発光手段の発光状態に応じて前記第２の発光手段の発光を制御し、前記第１の閃光の発光状態によって変化する色温度変化を補正する第２の発光手段とを備えたことを特徴とする閃光発光装置。
【請求項２】
前記第１の閃光発光手段の発光状態は、前記第１の閃光発光手段の発光量、前記第１の閃光発光手段の主コンデンサ充電電圧、発光時間、発光モード（閃光発光又はフラット発光）、発光回数（経時変化）、拡散版の有無、ズーム位置、発光間隔何れか１つまたは１つ以上の状態であることを特徴とする、請求項１記載の閃光発光装置。
【請求項３】
前記第２の発光手段は、ＲＧＢ３色のＬＥＤであることを特徴とする、請求項１又は２記載の閃光発光装置。
【請求項４】
前記第１の閃光発光手段の発光量と前記第２の発光手段の発光量の積分値が、目標の発光量となるように制御することを特徴とする請求項１〜３記載の閃光発光装置。
【請求項５】
前記第１の閃光発光手段の発光と前記第２の発光手段の発光はＬＵＴで制御されることを特徴とする、請求項１〜４記載の閃光発光装置。
【発明の詳細な説明】
【技術分野】
【０００１】
本発明は、閃光発光部と前記閃光の発光を補助する補助発光手段を有した閃光発光装置に関する。
【背景技術】
【０００２】
カメラに外部接続されるフラッシュ装置として，一般にＸｅ放電管を用いたエレクトロフラッシュが普及しているが、従来、このエレクトロフラッシュのアクセサリーとしてカラーパネルセットが知られている。この、カラーパネルセットは、例えば赤、青、緑、黄、の４色のカラーパネルと色温度変換用フィルターパネルとがセットにされたもので、これらのパネルを適当に組み合わせてフラッシュ発光部に取り付けることにより。カラー撮影における、特殊な色彩効果を演出したり、フィルムの種類に応じてフラッシュの色温度の補正を行うことが出来るようになっている。
【０００３】
このようなフラッシュの色温度を補正する手段をカラーパネル無しで行う、閃光装置が特開平１０−２０６９４２に示されている。この閃光装置は第１の発光手段と第２の発光手段を有し、前記第１の閃光発光の色温度を前記第２の発光手段を発光させることで変化または補正するというものである。
【特許文献１】特開平１０−２０６９４２号公報
【発明の開示】
【発明が解決しようとする課題】
【０００４】
一方、Ｘｅ放電管を用いた閃光発光手段は、発光時の発光量、主コンデンサの充電電圧、発光モード（閃光発光／ハイスピードシンクロ発光）、発光回数（経時変化）、拡散板の有無、バウンスの角度、等様々な要因によって変化することも知られている。
【０００５】
前記閃光技術では、発光時の色温度を変化させることについてはふれているが、前記要因によって変化する閃光の微妙な色温度の変化を補正することに関しては触れていない。
【０００６】
本発明は前記要因によって生じる閃光の色温度変化を補正するために考案されたもので、前記要因によって変化する閃光の色温度変化を簡単かつ迅速に補正することが出来る。
【課題を解決するための手段】
【０００７】
請求項１記載の発明は、閃光を発光する第１の閃光発光手段と、前記第１の発光手段の閃光の色温度と異なると共に、互いに異なる色温度の光を発光する１又は２以上の第２の発光手段と、前記第１の発光手段の発光状態に応じて前記第２の発光手段の発光を制御し、前記第１の閃光の発光状態によって変化する色温度変化を補正する前記第２の発光手段とを備えたものである。（請求項１）
前記構成によれば、前記第１の閃光発光手段の発光状態によって変化する色温度変化を、前記第２の発光手段により補正することが出来る。
【０００８】
また、本発明は、前記閃光発光装置において、前記第１の閃光発光手段の発光状態は、前記第１の閃光発光手段の発光量、前記第１の閃光発光手段の主コンデンサ充電電圧、発光時間、発光モード（閃光発光又はフラット発光）、発光回数（経時変化）、拡散版の有無、ズーム位置、発光間隔何れか１つまたは１つ以上の状態であることを特徴としたものである。（請求項２）
前記構成によれば、前記第１の閃光発光手段の発光量、前記第１の閃光発光手段の主コンデンサ充電電圧、発光時間、発光モード（閃光発光又はフラット発光）、発光回数（経時変化）、拡散版の有無、ズーム位置、発光間隔に応じて、前記第２の発光手段の色温度を変更して発光することで、前記状態変化によって生じる前記第１の閃光装置の色温度変化を軽減することが出来る。
【０００９】
また、本発明は、前記第２の発光手段を、ＲＧＢ３色のＬＥＤで構成することを特徴としたものである。（請求項３）
前記構成によれば、ＲＧＢ３色それぞれの発光量を切り替えることで、容易に所定の色温度で第２の発光手段を発光することができる。
【００１０】
また、本発明は、前記第１の閃光発光手段の発光量と前記第２の発光手段の発光量の積分値が、目標の発光量となるように制御することを特徴としたものである。（請求項４）
前記構成によれば、前記第１の閃光発光手段の閃光の色温度変化を補正する為に、第２の発光手段を発光しても、第１の閃光発光手段と第２の発光手段の積分値（総発光量）を適性にすることが出来る。
【００１１】
また、本発明は、前記第１の閃光発光手段の発光と前記第２の発光手段の発光はＬＵＴで制御されることを特徴としたものである。（請求項５）
前記構成によれば、前記第１の閃光発光手段の閃光の色温度変化を前記第２の発光手段の発光を用いて補正する際に、前記第１の閃光発光手段と前記第２の発光手段の発光量のバランスを複雑な演算処理を介さずに算出することが出来る。
【発明の効果】
【００１２】
本発明によれば、閃光を発光する第１の閃光発光手段と、互いに異なる色温度の光を発光する１又は２以上の第２補発光手段と、前記第１の発光手段の発光状態に応じて前記第２の発光手段の発光を制御し、前記第１の閃光の発光状態によって変化する色温度変化を補正する第２の発光手段とを備えることで、前記主閃光発光手段の発光状態によって変化する色温度変化を、補助発光手段により補正することが出来る。
【００１３】
また、本発明は、前記閃光発光装置において、前記第１の閃光発光手段の発光量、前記第１の閃光発光手段の主コンデンサ充電電圧、発光時間、発光モード（閃光発光又はフラット発光）、発光回数（経時変化）、拡散版の有無、ズーム位置、発光間隔何れか１つまたは１つ以上の状態の変化に対応した、色温度変化の補正を行うことが出来る。
【００１４】
また、本発明は、前記第２の発光手段を、ＲＧＢ３色のＬＥＤで構成しているので、ＲＧＢ３色それぞれの発光量を切り替えることで、容易に所定の色温度で補助発光手段を発光することができる。
【００１５】
また、本発明は、前記第１の閃光発光手段の発光量と前記第２の発光手段の発光量の積分値が、目標の発光量となるように制御しているので、前記第１の閃光発光手段の閃光の色温度変化を補正する為に、前記第２の発光手段を発光しても、前記第１の閃光発光手段と前記第２の発光手段の積分値（総発光量）を適性にすることが出来る。
【００１６】
また、本発明は、前記第１の閃光発光手段の発光と前記第２の発光手段の発光はＬＵＴで制御しているので、前記第１の閃光発光手段の閃光の色温度変化を前記第２の発光手段の発光を用いて補正する際に、前記第２１閃光発光手段と前記第２の発光手段の発光量のバランスを複雑な演算処理を介さずに算出することが出来る。
【発明を実施するための最良の形態】
【００１７】
以下本発明にかかるデジタルカメラシステム及びストロボ装置に関する好適な実施の形態について添付図面を参照して詳細に説明する。
【００１８】
１はカメラ本体であり、この中に光学部品、メカ部品、電気回路、フィルムなどを収納し、写真撮影が行えるようになっている。２は主ミラーで、観察状態と撮影状態に応じて撮影光路へ斜設されあるいは退去される。また主ミラー２はハーフミラーとなっており斜設されているときも、後述する焦点検出光学系に被写体からの光線の約半分を透過させている。３は撮影レンズ１２〜１４の予定結像面に配置されたピント板、４はファインダー光路変更用のペンタプリズム、５はファインダーで、撮影者はこの窓よりピント板３を観察することで、撮影画面を観察することが出来る。６、７は観察画面内の被写体輝度を測定する為の結像レンズと多分割測光センサで、結像レンズ６はペンタプリズム４内の反射光路を介してピント板３と多分割測光センサ７を共役に関係付けている。
【００１９】
図２に撮影画面上の測光エリア分割図を示す。撮影画面はＡ１〜Ａ２１までの２１エリアに分割されている。多分割測光センサ７は、撮影画面と共役に関係付けられたそれぞれのエリアの輝度を測定することが出来る。
【００２０】
図１の８はシャッター、９は感光部材で、銀塩フィルム等より成っている。もちろん９の感光部材は銀塩フィルムの変わりにＣＣＤ等の撮像素子であっても構わない。
【００２１】
主ミラー２は斜設されているときも、被写体からの光線の約半分を透過させている。２１は、サブミラーであり被写体からの光線を下方に折り曲げて、焦点検出ユニット２２の方に導いている。
【００２２】
焦点検出ユニット２２内には、２次結像ミラー２３、２次結像レンズ２４、焦点検出ラインセンサ２５等からなっている。２次結像ミラー２３、２次結像レンズ２４により焦点検出光学系を成しており、撮影光学系の２次結像面を焦点検出ラインセンサ２５上に結んでいる。焦点検出ユニット２２は後述の電気回路の処理により、既知の位相差検出法により撮影画面内の被写体の焦点状態を検出し、撮影レンズの焦点調節機構を制御することにより自動焦点検出装置を実現している。この自動焦点検出装置は、図２の撮影画面内の測光エリアの中心９点の焦点状態を検出するものである。
【００２３】
１９は、フィルム面を測光するための測光レンズであり、２０はフィルム面測光センサである。これらは、露光中にフィルム面に到達した光の拡散反射を利用して露光量を測定し閃光装置の適正光量を得る、いわゆるＴＴＬ調光に使用される。
【００２４】
１０は公知のカメラと撮影レンズとのインターフェイスとなるマウント接点であり、１１はカメラ本体に据え付けられるレンズ鏡筒である。１２〜１４は撮影レンズであり１２は１群レンズで、光軸上を左右に可動することで、撮影画面のピント位置を調整することが出来る。１３は２群レンズで光軸上を左右に可動することで、撮影画面の変倍となり撮影レンズの焦点距離が変更される。１４は３群固定レンズである。１５は撮影レンズ絞りである。
【００２５】
１６はその１群レンズ駆動モータであり、自動焦点調節動作に従って１群レンズを左又は右に移動させることにより自動的にピント位置を調整することが出来る。１７はレンズ絞り駆動モータであり、これにより撮影レンズ絞りを開放にしたり、絞ったりする事が出来る。
【００２６】
１８は閃光装置制御部で、カメラ本体１に取り付けられ、カメラからの信号に従って発光制御を行うものである。２６は第１の照明手段である放電管で電流エネルギーを発光エネルギーに変換する。２７は反射板、２８はフレネルであり、それぞれ発光エネルギーを効率良く被写体に向けて集光する役目である。３３はカメラ本体１と閃光装置制御部１８とのインターフェイスとなる公知の閃光装置接点である。
【００２７】
２９は、グラスファイバーであり放電管２６の発光した光をモニタ用のセンサ（ＰＤ１）３０に導いている。センサ（ＰＤ１）３０は閃光装置のプリ発光及び本発光の光量を直接測光しているものであり、本発明のポイントとなる、メイン発光量の制御のためのセンサである。３１は、放電管２６の発光した光をモニタするセンサ（ＰＤ２）である。センサ（ＰＤ２）３１の出力により放電管２６の発光電流を制限して閃光装置がフラット発光を行う事が出来る。３２は第２の照明手段であるＲＧＢのＬＥＤであり、３３はＬＥＤ３２の照射範囲を調節する為のフレネルレンズである。図１では、本発明を実現するために必要な部材の内、光学メカ部材のみ記しており、その他に電気回路部材が必要となるが、ここでは省略してある。
【００２８】
図３、図４に本発明の一実施例の形態におけるストロボ撮影装置の電気回路ブロック図を示してある。図３はカメラ本体側とレンズ側の回路ブロック図が示してあり、図４に閃光装置側の回路ブロック図が示してあり、それぞれ図１と対応する部材には同じ番号を付している。
【００２９】
まず、図３から説明する。カメラマイコン１００には、焦点検出回路１０５、測光回路１０６、シャッター制御回路１０７、モータ制御回路１０８、フィルム走行検知回路１０９、スイッチセンサ回路１１０、液晶表示回路１１１、フィルム面反射測光回路１１４が接続されている。また、撮影レンズ側とはマウント接点群１０を介して信号の伝達がなされる。さらに閃光装置側とは、閃光装置が直接カメラ本体に取り付けられた状態では、閃光装置接点群２２を介して信号の伝達がなされる。
【００３０】
ラインセンサ２５は前述のようにファインダー上の撮影画面内のＡ１〜Ａ２１の２１点の焦点状態を検出するためのもので、撮影光学系の２次結像面にペアで各測距点に対応したラインセンサである。焦点検出回路１０５はカメラマイコン１００の信号に従い、これらラインセンサ２５の蓄積制御と読み出し制御を行って、それぞれ光電変換された画素情報をカメラマイコン１００に出力する。カメラマイコン１００はこの情報をＡ／Ｄ変換し周知の位相差検出法による焦点検出を行う。カメラマイコン１００は焦点検出情報により、レンズマイコン１１２と信号のやりとりを行うことによりレンズの焦点調節を行う。
【００３１】
測光回路１０６は画面内の各エリアの輝度信号として、前述したように画面内を複数のエリアに分割した多分割測光センサ７からの出力をカメラマイコン１００に出力する。測光回路１０６は、被写体に向けて閃光装置光をプリ発光していない定常状態とプリ発光しているプリ発光状態と双方の状態で輝度信号を出力し、カメラマイコン１００は輝度信号をＡ／Ｄ変換し、撮影の露出の調節のための絞り値の演算とシャッタースピードの演算、及び露光時の閃光装置のメイン発光量の演算を行う。
【００３２】
シャッター制御回路１０７は、カメラマイコン１００からの信号に従って、シャッター先幕（ＭＧ−１）、シャッター後幕（ＭＧ−２）を走行させ、露出動作を担っている。
【００３３】
モータ制御回路１０８は、カメラマイコン１００からの信号に従ってモータを制御することにより、主ミラー２のアップダウン、及びシャッターのチャージ、そしてフィルムの給送を行っている。フィルム走行検知回路１０９は、フィルム給送時にフィルムが１駒分巻き上げられたかを検知し、カメラマイコン１００に信号を送る。
【００３４】
ＳＷ１は不図示のレリーズ釦の第１ストロークでＯＮし、測光、ＡＦを開始するスイッチとなる。ＳＷ２はレリーズ釦の第２ストロークでＯＮし、露光動作を開始するスイッチとなる。ＳＷＦＥＬＫは、不図示のプッシュスイッチでＯＮするスイッチであり、露光動作の前に閃光装置のプリ発光を行って閃光装置光量を決定しロックする動作の始動スイッチである。ＳＷ１，ＳＷ２，ＳＷＦＥＬＫ及びその他不図示のカメラの操作部材からの信号は、スイッチセンサ回路１１０が検知し、カメラマイコン１００に送っている。ＳＷＸは、シャッターの全開にともなってＯＮするスイッチであり、閃光装置側に、露光時メイン発光の発光タイミングを送っている。
【００３５】
液晶表示回路１１１はファインダー内ＬＣＤ４１とモニタ用ＬＣＤ４２の表示をカメラマイコン１００からの信号に従って制御している。１１４はフィルム面反射測光回路であり、フィルム面測光センサ２０の測光情報をカメラマイコン１００は得ることが出来る。このフィルム面測光センサ２０は、多分割測光センサ７と同様に図２のように画面内を分割しており、撮影画面と共役に関係付けられたそれぞれのエリアの輝度を測定することが出来る。
【００３６】
次にレンズの構成に関して説明する。カメラ本体とレンズはレンズマウント接点１０を介して相互に電気的に接続される。このレンズマウント接点１０はレンズ内のフォーカス駆動用モータ１６および、絞り駆動用モータ１７の電源用接点であるＬ０、レンズマイコン１１２の電源用接点であるＬ１、公知のシリアルデータ通信を行う為のクロック用接点Ｌ２、カメラからレンズへのデータ送信用接点Ｌ３、レンズからカメラへのデータ送信用接点Ｌ４、前記モータ用電源に対するモータ用グランド接点であるＬ５、前記レンズマイコン１１２用電源に対するグランド接点であるＬ６で構成されている。
【００３７】
レンズマイコン１１２は、これらのレンズマウント接点１０を介してカメラマイコン１００と接続され、１群レンズ駆動モータ１６及びレンズ絞りモータ１７を動作させ、レンズの焦点調節と絞りを制御している。３７，３８は光検出器とパルス板であり、レンズマイコン１１２がパルス数をカウントすることにより１群レンズの位置情報を得ることが出来、レンズの焦点調節を行ったり、被写体の絶対距離情報をカメラマイコン１００に伝達することが出来る。
【００３８】
次に図４の閃光装置側の回路ブロック図に関して説明する。
【００３９】
閃光装置マイコン２００はカメラマイコン１００からの信号に従って、閃光装置の制御を行う回路で、発光量の制御、プリ発光の発光強度及び発光時間の制御等を行う。２０１は、ＤＣ／ＤＣコンバータで、閃光装置マイコン２００の指示により電池電圧を数百Ｖに昇圧し、主コンデンサＣ１に充電する。Ｒ１、Ｒ２は、主コンデンサＣ１の電圧を閃光装置マイコン２００がモニタするために設けられた分圧抵抗である。閃光装置マイコン２００は、分圧された電圧を閃光装置マイコン内蔵Ａ／Ｄ変換器によりＡ／Ｄ変換することにより、主コンデンサＣ１の電圧を間接的にモニタし、ＤＣ／ＤＣコンバータ２０１の動作を制御する事により、主コンデンサＣ１の電圧を所定の電圧に制御する。
【００４０】
２０２は既存のトリガ回路で、閃光装置発光時にカメラマイコン１００の指示やＳＷＸ信号により閃光装置マイコン２００を介してトリガ信号を出力し、放電管２６のトリガ電極に数千Ｖの高電圧を印加する事により放電管２６の放電を誘発し、主コンデンサＣ１に蓄えられた電荷エネルギーを放電管２６を介して光エネルギーとして放出する。２０３はＩＧＢＴ等のスイッチング素子を用いた既存の発光制御回路であり、前記発光時のトリガ電圧印加時には導通状態とし、放電管２６の電流を流し、発光停止時には遮断状態する事により、放電管２６の電流を遮断し発光を停止する。２０６はデータセレクタで、閃光装置マイコン２００からの選択信号ＳＥＬ１、ＳＥＬ２に従い、Ｘ０からＸ２の入力を選択し、Ｙに出力する。
【００４１】
２０７は閃光発光制御用モニタ回路であり、受光素子３０の出力を増幅する。２０８は２０７の出力を積分する積分回路である。２０９はフラット発光制御用モニタ回路であり、受光素子３１の出力を増幅する。２１０は前記フラット発光時間等を記憶する記憶手段であるＥＥＰＲＯＭである。２１１は発光可能かどうかの状態を示すＬＥＤである。３２Ｒ、３２Ｇ、３２Ｂは補助照明手段であるＲＧＢのＬＥＤであり、アノードは電源である電池（ｂａｔｔｅｒｙ）と接続され、カソードは既存の定電流回路３４，３５，３６と接続されている。
【００４２】
２１３はＲ、Ｇ、ＢのＬＥＤと放電管２６の発光量の比を算出するＬＵＴテーブルを保持している不揮発性メモリ（ＥＥＰＲＯＭ）である。
【００４３】
次に閃光装置マイコン２００の各端子の説明をする。
【００４４】
ＣＫはカメラとのシリアル通信を行うための同期クロックの入力端子、ＤＩはシリアル通信データの入力端子、ＤＯはシリアル通信のデータ出力端子、ＣＨＧは閃光装置の発光可能状態を電流としてカメラに伝える出力端子、Ｘはカメラからの発光タイミング信号の入力端子、ＥＣＫはフラッシュＲＯＭ等の書き込み可能な記憶手段とシリアル通信を行う為の通信クロックを出力する出力端子、ＥＤＩは前記記憶手段からのシリアル通信データ入力端子、ＥＤＯは前記記憶手段へのシリアルデータ出力端子、ＳＥＬＥは記憶手段との通信を許可するイネーブル端子であり説明上Ｌｏでイネーブル、Ｈｉでディスエーブルとする。
【００４５】
ＰＯＷはパワースイッチ２１２の状態を入力する入力端子、ＯＦＦはパワースイッチ２１２と接続された時に閃光装置をオフ状態にする為の出力端子、ＯＮはパワースイッチ２１２と接続された時の閃光装置をオン状態にする為の出力端子であり、パワーＯＮ状態ではＰＯＷ端子はＯＮ端子と接続され、その際ＯＮ端子はハイインピーダンス状態、ＯＦＦ端子はＬｏ状態であり、パワーＯＦＦ状態ではその逆である。ＬＥＤは発光可能を表示する表示出力端子である。
【００４６】
ＳＴＯＰは発光停止信号の入力端子であり、説明上Ｌｏで発光停止状態とする。ＳＥＬ０、ＳＥＬ１は前記データセレクタ２０６の入力選択を指示する為の出力端子であり、ＳＥＬ０、ＳＥＬ１の組み合わせが（ＳＥＬ１、ＳＥＬ０）＝（０、０）の時はＸ０端子がＹ端子に接続され、同様に（０、１）の時はＸ１端子、（１、０）の時はＸ２端子が選択される。
ＤＡ０は閃光装置マイコン２００に内蔵されたＤ／Ａ出力端子であり、コンパレータ２０４、２０５のコンパレートレベルをアナログ電圧で出力する。ＴＲＩＧはトリガ回路２０２に発光を指示するトリガ信号出力端子である。ＣＮＴはＤＣ／ＤＣコンバータ２０１の発振開始停止を制御する出力端子で、説明上Ｈｉで充電開始、Ｌｏで充電停止とする。ＩＮＴは積分回路２０８の積分の開始／リセットを制御する端子で、Ｈｉで積分リセット、Ｌｏで積分許可とする。
【００４７】
ＡＤ０、ＡＤ１はＡ／Ｄ入力端子であり、入力される電圧をマイコン２００内部で処理できるようにディジタルデータに変換するものであり、ＡＤ０は主コンデンサＣ１の電圧をモニタするものであり、ＡＤ１は積分回路２０８の積分出力電圧をモニタするものである。
【００４８】
定電流回路３４、３５、３６は閃光装置マイコン２００のＬＥＤ＿Ｐ端子がＨｉの時、閃光装置マイコン２００の内蔵ＤＡコンバータ出力のＤＡＲ、ＤＡＧ、ＤＡＢ端子から出力される電圧に応じた定電流駆動でＬＥＤ３２Ｒ、３２Ｇ、３２Ｂを点灯させる。
【００４９】
次に、この閃光装置のそれぞれの動作を図４を用いて説明する。
【００５０】
（発光可能状態検知）
閃光装置マイコン２００は、ＡＤ０ポートに入力された主コンデンサＣ１の分圧された電圧をＡ／Ｄ変換することによって、主コンデンサＣ１の電圧が発光可能な所定電圧以上であると判別されると、ＣＨＧ端子より所定電圧所定電流を吸い込み、カメラに発光可能を伝える。また、ＬＥＤ端子をＨｉに設定し、ＬＥＤ２１１を発光させて、発光可能を表示する。主コンデンサＣ１の電圧が所定電圧以下であると判別されたときは、ＣＨＧ端子はノンアクティブに設定し電流は遮断され、カメラには発光不能が伝わる。また、ＬＥＤ端子をＬｏに設定し、ＬＥＤ２１１を消灯させて、発光不能を表示する。
【００５１】
（放電管（第１の照明手段）によるプリ発光）
閃光装置が発光可能状態のとき、カメラ本体は、プリ発光の発光強度と発光時間を通信すると共に、放電管２６（第１の照明手段）によるプリ発光を指示することが出来る。放電管２６（第１の照明手段）をほぼ一定の発光強度で発光を継続させるフラット発光によるプリ発光動作を説明する。
【００５２】
閃光装置マイコン２００は、カメラ本体より指示された所定発光強度信号に応じて、ＤＡ０に所定の電圧を設定する。次にＳＥＬ１、ＳＥＬ０にＬｏ、Ｈｉを出力し、入力Ｘ１を選択する。このとき放電管２６はまだ発光していないので、受光素子３１の光電流はほとんど流れず、コンパレータ２０５反転入力端子に入力されるモニタ回路２０９の出力は発生せず、コンパレータ２０５の出力はＨｉであるので、発光制御回路２０３は導通状態となる。次にＴＲＩＧ端子よりトリガ信号を出力すると、トリガ回路２０２は高圧を発生し放電管２６を励起し発光が開始される。
【００５３】
一方、閃光装置マイコン２００は、トリガ発生より所定時間後、積分回路２０８に積分開始を指示し、積分回路２０８はモニタ回路２０７の出力、すなわち、光量積分用の受光素子３０の光電出力を積分開始すると同時に、所定時間をカウントするタイマを起動させる。
【００５４】
プリ発光が開始されると、フラット発光の発光強度制御用受光素子３１の光電流が多くなり、モニタ回路２０９の出力が上昇し、コンパレータ２０６の非反転入力に設定されている所定のコンパレート電圧より高くなると、コンパレータ２０５の出力はＬｏに反転し、発光制御回路２０３は放電管２６の発光電流を遮断し、放電ループが断たれるが、ダイオードＤ１、コイルＬ１により環流ループを形成し、発光電流は回路の遅れによるオーバーシュートが収まった後は、徐々に減少する。
【００５５】
発光電流の減少に伴い、発光強度が低下するので、受光素子３１の光電流は減少し、モニタ回路２０９の出力は低下し、所定のコンパレートレベル以下に低下すると、再びコンパレータ２０５の出力はＨｉに反転し、発光制御回路２０３が再度導通し放電管２６の放電ループが形成され、発光電流が増加し発光強度も増加する。このように、ＤＡ０に設定された所定のコンパレート電圧を中心に、コンパレータ２０５は短い周期で発光強度の増加減少を繰り返し結果的には、所望するほぼ一定の発光強度で発光を継続させるフラット発光の制御が出来る。
【００５６】
前述の発光時間タイマをカウントし、所定のプリ発光時間が経過すると、閃光装置マイコン２００はＳＥＬ１、ＳＥＬ０端子をＬｏ、Ｌｏに設定しデータセレクタ２０６の入力はＸ０すなわちＬｏレベル入力が選択され、出力は強制的にＬｏレベルとなり、発光制御回路２０３は放電管２６の放電ループを遮断し、発光終了する。
【００５７】
発光終了時に、閃光装置マイコン２００は、プリ発光を積分した積分回路２０８の出力をＡ／Ｄ入力端子ＡＤ１から読み込み、Ａ／Ｄ変換し、積分値、すなわちプリ発光時の発光量をディジタル値（ＩＮＴｐ）として読みとる事ができる。
【００５８】
（本発光制御）
カメラマイコン１００は、プリ発光時の多分割測光センサ７からの被写体反射光輝度値等から、本発光量のプリ発光に対する適正相対値（γ）を求め、閃光装置マイコン２００に送る。
【００５９】
閃光装置マイコン２００は、プリ発光時の測光積分値にカメラ本体からの相対値（γ）の値を掛け合わせ適正積分値を求める。
【００６０】
続いて、適正積分値を得る為の、放電管２６とＬＥＤ３２Ｒ，３２Ｇ，３２Ｂそれぞれの発光量比をＥＥＰＲＯＭ２１３に格納されている、後述するＬＵＴより算出する。
【００６１】
算出された、放電管２６，ＬＥＤ３２Ｒ，３２Ｇ，３２Ｂそれぞれの発光制御量をもとにＤＡ０，ＤＡＲ，ＤＡＧ，ＤＡＢ出力に適正積分値を設定する。
【００６２】
次にＳＥＬ１、ＳＥＬ０にＨｉ、Ｌｏを出力し、入力Ｘ２を選択する。このとき積分回路は動作禁止状態なので、コンパレータ２０４反転入力端子に入力される積分回路２０８の出力は発生せず、コンパレータ２０４の出力はＨｉであるので、発光制御回路２０３は導通状態となる。次にＴＲＩＧ端子よりトリガ信号を出力すると、トリガ回路２０２は高圧を発生し放電管２６を励起し発光が開始される。この時、同時にＬＥＤ３２Ｒ，３２Ｇ，３２Ｂそれぞれの発光も開始する。
【００６３】
また閃光装置マイコン２００は、トリガ印加によるトリガノイズが収まるとともに実際の発光が開始される１０数μｓｅｃ後に積分開始端子ＩＮＴをＬｏレベルに設定し、積分回路２０８はセンサ３１からの出力をモニタ回路２０７を介して積分する。積分出力がＤＡＯで設定された所定電圧に到達すると、コンパレータ２０４は反転し、データセレクタ２０６を介して発光制御回路２０３は導通を遮断され、発光は停止する。一方、閃光装置マイコン２００はＳＴＯＰ端子をモニタし、ＳＴＯＰ端子が反転し発光が停止すると、ＳＥＬ１、ＳＥＬ０端子をＬｏ、Ｌｏに設定し強制発光禁止状態に設定するとともに、積分開始端子を反転し、積分を終了し、発光処理を終了する。
【００６４】
このようにして、本発光を適正な発光量と色温度に制御することが出来る。
【００６５】
（ＬＵＴ）
放電管２６発光時にＬＥＤ３２Ｒ，３２Ｇ，３２Ｂを同時に発光することで、発光量、主コンデンサ電圧によって変化する放電管２６の発光色温度を補正する。この時、放電管２６とＬＥＤ３２Ｒ，３２Ｇ，３２Ｂそれぞれの発光制御量はＥＥＰＲＯＭ２１３に記録されているＬＵＴから算出される。このＬＵＴは、放電管２６とＬＥＤ３２Ｒ，３２Ｇ，３２Ｂを同時に発光した時の色温度を５５００Ｋに保つように、放電管２６，ＬＥＤ３２Ｒ，３２Ｇ，３２Ｂそれぞれの発光量を算出する。この時、単純に色温度だけをあわせるようにＬＥＤ３２Ｒ，３２Ｇ，３２Ｂの発光量を制御してしまうと、放電管２６の閃光の発光量とＬＥＤ３２の発光量の積分値は適正値を超えてしまう。そこで、放電管２６の閃光の発光量とＬＥＤ３２の発光量は、
放電管２６の発光量＝適正発光量−３色ＬＥＤ３２の発光量
の式が成り立つように制御させる。本実施例におけるＬＵＴは（目標発光量，主コンデンサ電圧）に対する（放電管２６の発光量，ＬＥＤ３２Ｒの発光量，ＬＥＤ３２Ｇの発光量、ＬＥＤ３２Ｂの発光量）のテーブルとする。このＬＵＴは予め、閃光装置の設計時に放電管２６とＬＥＤ３２を組み合わせて発光を行い、所定の色温度（５５００Ｋ）、所定の発光量となる組み合わせを求め、作成しておく。
【００６６】
本実施例では、放電管の発光量、主コンデンサ電圧によって変化する色温度を補正するようなＬＵＴを示したが、更にＬＵＴの次元を増やして、発光モード（閃光発光又はフラット発光）、発光回数（経時変化）、拡散版の有無、ズーム位置、発光間隔等により生じる放電管の閃光色温度変化に対応しても良い。
【００６７】
また、本実施例では目標色温度を５５００Ｋとしているが、それに限るものではない。
【００６８】
例えば、目標色温度を主コンデンサ電圧と放電管２６の発光量の変化で起きる色温度変化の中心におくことで、ＬＥＤで補正する色温度が少なくて済む為、発光量の大きい放電管と発光量の小さいＬＥＤの組み合わせで、色温度が補正しきれなくなるのを軽減することができる。
【００６９】
次に、図５、図６を用いて本発明を実施したストロボ撮影装置の動作フローをカメラマイコン１００の動作を中心に説明する。
【００７０】
図５においてカメラの動作が開始すると、カメラマイコン１００はまずレリーズ釦の第１ストロークでＯＮするＳＷ１を検出する（ステップＳ１０１）。ＳＷ１が検出されるまではこのステップが繰り返し実行される。
【００７１】
ＳＷ１が検出されると、カメラマイコン１００は、測光回路１０６より画面内の複数領域の被写体輝度情報、色情報をＡ／Ｄ変換により得る（ステップＳ１０２）。この輝度情報により、後述での露光動作に用いるシャッタースピード、絞り値を演算により求める。
【００７２】
次に、カメラマイコン１００は焦点検出回路１０５を駆動することにより周知の位相差検出法による焦点検出動作を行う（ステップＳ１０３）。焦点を検出するポイント（測距ポイント）は前述したように複数あるため、撮影者が任意に測距ポイントを設定できる方式の場合と、近点優先を基本の考え方とした周知の自動選択アルゴリズム方式の場合等がある。
【００７３】
選択された測距ポイントが合焦となるように、カメラマイコン１００はレンズ側と通信を行うことによってレンズの焦点調節を行う（ステップＳ１０４）。また、レンズ合焦位置の絶対距離情報を通信によってカメラマイコン１００は得ることができる。
【００７４】
ここで、カメラマイコン１００は、レリーズ釦の第２ストロークでＯＮするＳＷ２がＯＮであるかどうかを判別する（ステップＳ１０５）。ＳＷ２がＯＦＦであれば、ステップＳ１０１〜Ｓ１０４の動作を繰り返し、ＳＷ２がＯＮであれば、レリーズ動作に進む。
【００７５】
レリーズ動作に入るとまず、閃光装置の発光量演算サブルーチンをコールする（ステップＳ１０６）。
【００７６】
ここで、閃光装置の発光量演算サブルーチンを図６を用いて説明する。
【００７７】
測光回路１０６のプリ前測光により得られた輝度値はそれぞれのエリア毎に、
ＥＶａ（ｉ）ｉ＝０〜２１
としてＲＡＭに記憶させる（ステップＳ２０１）。
【００７８】
次に、カメラマイコン１００は、閃光装置側に対してプリ発光の命令を行う。閃光装置マイコン２００はこの命令に従って、前述したようにプリ発光動作を行い、プリ発光が持続している間に被写体からの反射光を測光回路１０６により得る。その輝度値はそれぞれのエリア毎に、
ＥＶｆ（ｉ）ｉ＝０〜２１
としてＲＡＭに記憶させる（ステップＳ２０２）。
【００７９】
ステップＳ２０１、Ｓ２０２で求めた反射光量から、プリ発光反射光分のみの輝度値を抽出する。
【００８０】
ＥＶｄｆ（ｉ）←ＥＶｆ（ｉ）−ＥＶａ（ｉ）ｉ＝０〜２２
としてＲＡＭに記憶させる（ステップＳ２０３）。
【００８１】
次に、プリ前発光およびプリ発光時の輝度情報、測距情報等を基に公知の手法を用いて適正露出値を算出する（ステップＳ２０４）。
【００８２】
次に、ＡＤ０で主コンデンサＣ１の電圧をモニタする。（ステップＳ２０５）
次に、ＥＥＰＲＯＭ２１３に記録されている、ＬＵＴを用いて、適正発光量と主コンデンサＣ１電圧に対応する、放電管２６、ＬＥＤ３２Ｒ，３２Ｇ，３２Ｂそれぞれの発光量を算出する。（ステップＳ２０６）
ここで閃光装置発光量演算サブルーチンを終え、図５に戻り、カメラマイコン１００は、露光動作を行う。すなわち、主ミラー２をアップさせサブミラー２５ともども撮影光路より退去させ、レンズ絞り駆動モータ１７により絞りを制御し、決められたシャッタースピード値（ＴＶ）になるようにシャッター制御回路１０７を制御する。このときシャッターの全開に同期してＳＷＸがＯＮし、閃光装置側に伝わり、これが本発光の命令となる。閃光装置マイコン２００は、カメラから送られてきたγに基づいて前述のような本発光制御を行い、放電管２６、ＬＥＤ３２Ｒ，３２Ｇ，３２Ｂをそれぞれ所定の発光量で発光する。
【００８３】
最後は、撮影光路より退去された主ミラー２等をダウンし再び撮影光路へ斜設させ、モータ制御回路１０８とフィルム走行検知回路１０９により、フィルムを１駒巻き上げる。
【図面の簡単な説明】
【００８４】
【図１】実施例におけるストロボ撮影装置の横断面図である。
【図２】実施例におけるストロボ撮影装置の測光回路の画面分割図である。
【図３】実施例におけるストロボ撮影装置のカメラ本体とレンズの電気回路ブロック図である。
【図４】実施例におけるストロボ撮影装置の閃光装置の電気回路ブロック図である。
【図５】実施例におけるストロボ撮影装置の動作のフローチャートである。
【図６】実施例における閃光装置の発光量演算のフローチャートである。
【符号の説明】
【００８５】
１  カメラ本体
２  主ミラー
３  ピント板
４  ペンタプリズム
５  ファインダー
６  結像レンズ
７  多分割測光センサ
８  シャッター
９  感光部材
１０  レンズマウント接点
１１  レンズ鏡筒
１２  １群レンズ
１３  ２群レンズ
１４  ３群固定レンズ
１５  撮影レンズ絞り
１６  １群レンズ駆動モータ
１７  レンズ絞り駆動モータ
１８  閃光装置制御部
１９  測光レンズ
２０  フィルム面測光センサ
２１  サブミラー
２２  焦点検出ユニット
２３  ２次結像ミラー
２４  ２次結像レンズ
２５  焦点検出ラインセンサ
２６  放電管
２７  反射板
２８  フレネル
２９  グラスファイバー
３０、３１  発光量モニタセンサ
３２  ＲＧＢ  ＬＥＤ
３３  閃光装置接点
３４、３５、３５  定電流回路
３７  光検出器
３８  パルス板
４１  ファインダー内ＬＣＤ
４２  モニタ用ＬＣＤ
１００  カメラマイコン
１００ａ  ＥＥＰＲＯＭ
１００ｂ  Ａ／Ｄ変換器
１０６  測光回路
１０７  シャッター制御回路
１０８  モータ制御回路
１０９  フィルム走行検知回路
１１１  液晶表示回路
１１２  レンズマイコン
１１４  フィルム面反射測光回路
２０１  ＤＣ／ＤＣコンバータ
２０２  トリガ回路
２０３  発光制御回路
２０４、２０５  コンパレータ
２０６  データセレクタ
２０７  閃光発光制御用モニタ回路
２０８  積分回路
２０９  フラット発光制御用モニタ回路
２１０、２１３  ＥＥＰＲＯＭ
２１２  パワースイッチ
【図１】
2006322986.tif 000003
【図２】
2006322986.tif 000004
【図３】
2006322986.tif 000005
【図４】
2006322986.tif 000006
【図５】
2006322986.tif 000007
【図６】
2006322986.tif 000008